(57)【要約】【課題】共有の画像に、自身のみが見えるメモを書き込むことができ、会議参加者の使い勝手を向上させることができる情報処理装置、該情報処理装置を複数含む会議システム、情報処理方法及びコンピュータプログラムを提供する。【解決手段】共有の画像上での操作に応じて画像を作成するに際し、各画像をオブジェクト単位で作成し、その際に、オブジェクト毎に他のＢ端末装置で公開するか非公開とするかの選択を受け付ける。選択された公開／非公開の情報は、サーバ装置に送信され、他のＢ端末装置では、Ａ端末装置で作成された画像の情報を受信し、受信した画像情報が含む公開／非公開の情報に基づき、公開の情報が対応付けられている画像のみ表示する。【選択図】図９
2011044877.tif 000002
【特許請求の範囲】
【請求項１】
画像情報を受信し、該画像情報に基づく画像を含む画面を表示部に表示させ、操作を受け付けて前記操作に応じた画像をオブジェクト単位で作成し、作成したオブジェクト単位の画像を重なり順を示す情報と共に記憶し、作成した画像の画像情報を外部へ送信し、作成した画像を前記表示部に表示させている画面上に前記重なり順に基づき重畳表示させる情報処理装置において、
画像をオブジェクト単位で作成するに際し、前記オブジェクト毎に他の装置での公開／非公開の選択を受け付ける手段と、
前記画像のオブジェクト毎に、選択された公開／非公開の公開可否情報を対応付けて記憶する手段と
を備え、
前記画像の画像情報に付して、前記公開可否情報を外部へ送信するようにしてあること
を特徴とする情報処理装置。
【請求項２】
前記公開可否情報を含む画像情報を他から受信し、受信した前記画像情報に基づく画像を、前記画面上に表示させるようにしてあり、
受信した前記画像情報が含む公開可否情報に基づき、前記画像情報の画像のオブジェクト単位毎に、公開が選択されているか否かを判断し、公開が選択されていると判断したオブジェクトの画像を表示させるようにしてあること
を特徴とする請求項１に記載の情報処理装置。
【請求項３】
記憶してあるオブジェクト単位の画像の選択を受け付ける手段と、
選択された画像にオブジェクト単位で対応付けて記憶してある公開可否情報が示す公開／非公開の変更を受け付ける手段と
を備えることを特徴とする請求項１又は２のいずれか１つに記載の情報処理装置。
【請求項４】
画像情報を記憶するサーバ装置と、該サーバ装置と通信が可能な複数の情報処理装置とを含み、前記サーバ装置は、記憶してある画像情報を各情報処理装置へ送信し、各情報処理装置は、前記サーバ装置から画像情報を受信して該画像情報に基づく画像を含む画面を表示部に表示させ、操作を受け付けて前記操作に応じた画像をオブジェクト単位で作成し、作成したオブジェクト単位の画像を重なり順を示す情報と共に記憶し、作成した画像の画像情報をサーバ装置へ送信し、作成した画像を前記画面上に前記重なり順に基づき重畳表示させ、複数の情報処理装置間で共通の画像情報を表示させるようにして情報を共有させ、会議を実現させる会議システムにおいて、
各情報処理装置は、
画像をオブジェクト単位で作成するに際し、前記オブジェクト単位で他の情報処理装置での公開／非公開の選択を受け付ける手段と、
前記画像のオブジェクト毎に、選択された公開／非公開の公開可否情報を対応付けて記憶する手段と
を備え、
前記画像の画像情報に付して、前記公開可否情報を送信するようにしてあり、
前記サーバ装置は、
各情報処理装置から画像情報を受信した場合、前記画像情報を送信元の情報処理装置毎に記憶する手段と、
受信した画像情報が含む公開可否情報を対応付けて記憶する手段と、
記憶した情報処理装置毎の画像情報を他の情報処理装置へ送信する手段と
を備え、
各情報処理装置へ、他の情報処理装置の前記画像情報に対応付けられている前記公開可否情報も送信するようにしてあり、
各情報処理装置は更に、
他の情報処理装置で作成された画像の画像情報を受信し、受信した前記画像情報に基づく画像を前記画面上に表示させるようにしてあり、
前記画像を表示させるに際し、受信した画像情報が含む公開可否情報に基づき、前記画像のオブジェクト単位毎に、公開が選択されているか否かを判断し、公開が選択されていると判断したオブジェクトの画像を表示させるようにしてあること
を特徴とする会議システム。
【請求項５】
画像情報を受信し、該画像情報に基づく画像を含む画面を表示部に表示させる情報処理装置で、操作を受け付けて前記操作に応じた画像をオブジェクト単位で作成し、作成したオブジェクト単位の画像を重なり順を示す情報と共に記憶し、作成した画像の画像情報を外部へ送信し、作成した画像を前記表示部に表示させている画面上に前記重なり順に基づき重畳表示させる情報処理方法において、
前記情報処理装置は、
画像をオブジェクト単位で作成するに際し、前記オブジェクト毎に他の装置での公開／非公開の選択を受け付け、
前記画像に、選択された公開／非公開の公開可否情報を対応付けて記憶し、
前記画像の画像情報に前記公開可否情報を付して外部へ送信する
ことを特徴とする情報処理方法。
【請求項６】
表示部へ画像を出力可能に接続されるコンピュータに、外部から画像情報を受信させて受信した画像情報に基づく画像を含む画面を前記表示部に表示させ、操作を受け付けて前記操作に応じた画像をオブジェクト単位で作成させ、作成されたオブジェクト単位の画像を重なり順を示す情報と共に記憶させ、作成した画像を外部へ送信させ、作成された画像を前記表示部に表示させている画面上に前記重なり順に基づき重畳表示させるコンピュータプログラムにおいて、
コンピュータに、
受け付けた操作に応じた画像をオブジェクト単位で作成させるに際し、前記オブジェクト毎に画像の他の装置での公開／非公開の選択を受け付けるステップ、
前記画像のオブジェクト毎に、選択された公開／非公開の公開可否情報を対応付けて記憶するステップ、及び、
作成された画像の画像情報に、前記公開可否情報を含めて送信するステップ
を実行させることを特徴とするコンピュータプログラム。
【発明の詳細な説明】
【技術分野】
【０００１】
本発明は、ネットワークを介して接続される複数の情報処理装置間で、音声、映像及び画像を共有し、遠隔にあってもユーザ間での会議を実現できる会議システムに関する。特に、会議参加者が、自身が用いる情報処理装置にて共有の画像に、自身のみが見えるメモを書き込むことができ、会議参加者の使い勝手を向上させることができる情報処理装置、該情報処理装置を複数含む会議システム、情報処理方法及びコンピュータプログラムに関する。
【背景技術】
【０００２】
通信技術、画像処理技術等の進歩により、コンピュータを用い、遠隔地にいてもネットワークを介して会議ができるテレビ会議システムが実現されている。テレビ会議システムでは、複数の端末装置で夫々、共通する文書データなどを会議参加者が閲覧できるようにし、文書データへの編集、追記工程も共有する。
【０００３】
特許文献１には、複数の端末装置での描画結果を夫々、端末装置毎の描画レイヤ単位で保持し、描画結果を共有する各端末装置の描画レイヤ上に入力された描画結果を合成し、共通の表示装置に出力する描画装置が提案されている。当該描画装置を用いることで、各端末装置における描画結果が他の共通の表示装置に出力される。
【０００４】
なお、共有される文書データへの編集、追記の工程の全てが、テレビ会議システムに接続している複数の端末装置にて共有されることになる。工程途中まで共有されることは不要な場合がある。
【０００５】
そこで、特許文献２には、共有する文書の作成、編集、閲覧などができる電子会議システムに関し、特に、会議参加者が追記、編集中などの作業工程中で他人に見られたくない部分を全ての端末では共有しないようにした電子会議システムの発明が開示されている。
【先行技術文献】
【特許文献】
【０００６】
【特許文献１】特開２００４−３１７５８３号公報
【特許文献２】特開２００３−２８１１０１号公報
【特許文献３】特開平１１−２０２９９７号公報
【発明の概要】
【発明が解決しようとする課題】
【０００７】
会議参加者は共有の文書データに対して編集のみならず、メモ書きなどを行なう場合がある。このメモ書きには、会議システムへの参加者全員で共有すべきものと、個人的に書き込みたいものとがあり、各会議参加者が個別に使用する端末装置の画面上では、共有すべきものと個人的な書き込みは混在して確認できる構成が望まれる。
【０００８】
しかしながら原則的に、会議システムにおける共有の文書データへの編集、追記などの書き込みは基本的に、参加者全員で共有されるものである。会議参加者は個人のメモ書きのためには別途、紙媒体へ手書きをするなどの必要がある。
【０００９】
特許文献１では、各端末装置での共有データに対する書き込みなどの描画結果を共有することができるが、別途共通の表示装置に出力されるものであって、各端末装置で描画結果が合成されて表示される構成ではない。他の人の書き込みに対応する書き込みなどを行ないたい場合に、会議参加者は自身が用いる端末装置の画面上で他の人の書き込みを確認できないから、利便性が低い。しかも、端末装置での書き込みはすべて区別なく、共通の表示装置で合成される。書き込みの内容毎に共通の表示装置にて表示させるか、会議参加者が個別に使用する端末装置でのみ表示させるものであるかの区別がない。
【００１０】
特許文献２では、他人に見られたくない部分を共有しないようにすることができる。しかしながら、特許文献２の発明は、共有画面表示ウィンドウと、個別画面表示ウィンドウとを夫々表示させ、個別画面表示ウィンドウに入力される情報は文章終端記号が入力されるまでは共有表示ウィンドウに表示されないようにする構成である。つまり、文書終端記号が入力されれば全ての書き込みは共有される。工程の途中の状態が共有されないのであって、個人のメモのための書き込みと参加者で共有するための書き込みとを切り替えるものではない。しかも、別途異なる個別画面表示ウィンドウに書き込む構成である。
【００１１】
個人用メモのための書き込みを、共有の書き込みの上に書き込むなどが望まれるが、別途異なる紙媒体、又は異なるアプリケーション画面上で書き込む作業が必要となるのでは、利便性向上を図るには不十分である。
【００１２】
特許文献３には、会議システムとは関係なく、ユーザが個人で使用する情報処理装置にて、文書データなどの画像情報の上に、重ねて手書きにてペン入力などで書き込みができる情報処理装置に関し、ペン入力を行なう際に、自身の書き込みによって通常の画像情報の表示が妨げることになるので、自身の書き込みの表示／非表示を切り替えることができる発明が開示されている。
【００１３】
特許文献３に開示されている発明は、個人的に使用する情報処理装置において、自身の書き込み自体の表示／非表示を切り替えることが出来るものであって、他のユーザと共有する文書データ上での書き込みの表示／非表示を切り替えるものではない。個人的に使用する情報処理装置に関する発明であるから、文書データの画像上に個人のメモのための書き込みと、共有する書き込みとを混在させて表示させることを解決できない。
【００１４】
本発明は斯かる事情に鑑みてなされたものであり、会議参加者であるユーザが、自身が用いる情報処理装置にて共有の画像上に、自身のみが見えるメモを書き込むことができ、会議参加者の使い勝手を向上させることができる情報処理装置、該情報処理装置を複数含む会議システム、情報処理方法及びコンピュータプログラムを提供することを目的とする。
【課題を解決するための手段】
【００１５】
本発明に係る情報処理装置は、画像情報を受信し、該画像情報に基づく画像を含む画面を表示部に表示させ、操作を受け付けて前記操作に応じた画像をオブジェクト単位で作成し、作成したオブジェクト単位の画像を重なり順を示す情報と共に記憶し、作成した画像の画像情報を外部へ送信し、作成した画像を前記表示部に表示させている画面上に前記重なり順に基づき重畳表示させる情報処理装置において、画像をオブジェクト単位で作成するに際し、前記オブジェクト毎に他の装置での公開／非公開の選択を受け付ける手段と、前記画像のオブジェクト毎に、選択された公開／非公開の公開可否情報を対応付けて記憶する手段とを備え、前記画像の画像情報に付して、前記公開可否情報を外部へ送信するようにしてあることを特徴とする。
【００１６】
本発明に係る情報処理装置は、前記公開可否情報を含む画像情報を他から受信し、受信した前記画像情報に基づく画像を、前記画面上に表示させるようにしてあり、受信した前記画像情報が含む公開可否情報に基づき、前記画像情報の画像のオブジェクト単位毎に、公開が選択されているか否かを判断し、公開が選択されていると判断したオブジェクトの画像を表示させるようにしてあることを特徴とする。
【００１７】
本発明に係る情報処理装置は、記憶してあるオブジェクト単位の画像の選択を受け付ける手段と、選択された画像にオブジェクト単位で対応付けて記憶してある公開可否情報が示す公開／非公開の変更を受け付ける手段とを備えることを特徴とする。
【００１８】
本発明に係る会議システムは、画像情報を記憶するサーバ装置と、該サーバ装置と通信が可能な複数の情報処理装置とを含み、前記サーバ装置は、記憶してある画像情報を各情報処理装置へ送信し、各情報処理装置は、前記サーバ装置から画像情報を受信して該画像情報に基づく画像を含む画面を表示部に表示させ、操作を受け付けて前記操作に応じた画像をオブジェクト単位で作成し、作成したオブジェクト単位の画像を重なり順を示す情報と共に記憶し、作成した画像の画像情報をサーバ装置へ送信し、作成した画像を前記画面上に前記重なり順に基づき重畳表示させ、複数の情報処理装置間で共通の画像情報を表示させるようにして情報を共有させ、会議を実現させる会議システムにおいて、各情報処理装置は、画像をオブジェクト単位で作成するに際し、前記オブジェクト単位で他の情報処理装置での公開／非公開の選択を受け付ける手段と、前記画像のオブジェクト毎に、選択された公開／非公開の公開可否情報を対応付けて記憶する手段とを備え、前記画像の画像情報に付して、前記公開可否情報を送信するようにしてあり、前記サーバ装置は、各情報処理装置から画像情報を受信した場合、前記画像情報を送信元の情報処理装置毎に記憶する手段と、受信した画像情報が含む公開可否情報を対応付けて記憶する手段と、記憶した情報処理装置毎の画像情報を他の情報処理装置へ送信する手段とを備え、各情報処理装置へ、他の情報処理装置の前記画像情報に対応付けられている前記公開可否情報も送信するようにしてあり、各情報処理装置は更に、他の情報処理装置で作成された画像の画像情報を受信し、受信した前記画像情報に基づく画像を前記画面上に表示させるようにしてあり、前記画像を表示させるに際し、受信した画像情報が含む公開可否情報に基づき、前記画像のオブジェクト単位毎に、公開が選択されているか否かを判断し、公開が選択されていると判断したオブジェクトの画像を表示させるようにしてあることを特徴とする。
【００１９】
本発明に係る情報処理方法は、画像情報を受信し、該画像情報に基づく画像を含む画面を表示部に表示させる情報処理装置で、操作を受け付けて前記操作に応じた画像をオブジェクト単位で作成し、作成したオブジェクト単位の画像を重なり順を示す情報と共に記憶し、作成した画像の画像情報を外部へ送信し、作成した画像を前記表示部に表示させている画面上に前記重なり順に基づき重畳表示させる情報処理方法において、前記情報処理装置は、画像をオブジェクト単位で作成するに際し、前記オブジェクト毎に他の装置での公開／非公開の選択を受け付け、前記画像に、選択された公開／非公開の公開可否情報を対応付けて記憶し、前記画像の画像情報に前記公開可否情報を付して外部へ送信することを特徴とする。
【００２０】
本発明に係るコンピュータプログラムは、表示部へ画像を出力可能に接続されるコンピュータに、外部から画像情報を受信させて受信した画像情報に基づく画像を含む画面を前記表示部に表示させ、操作を受け付けて前記操作に応じた画像をオブジェクト単位で作成させ、作成されたオブジェクト単位の画像を重なり順を示す情報と共に記憶させ、作成した画像を外部へ送信させ、作成された画像を前記表示部に表示させている画面上に前記重なり順に基づき重畳表示させるコンピュータプログラムにおいて、コンピュータに、受け付けた操作に応じた画像をオブジェクト単位で作成させるに際し、前記オブジェクト毎に画像の他の装置での公開／非公開の選択を受け付けるステップ、前記画像のオブジェクト毎に、選択された公開／非公開の公開可否情報を対応付けて記憶するステップ、及び、作成された画像の画像情報に、前記公開可否情報を含めて送信するステップを実行させることを特徴とする。
【００２１】
本発明では、サーバ装置などの他の装置（外部装置）との通信が可能な情報処理装置により、受信した画像情報に基づく画像を含む画面が描画される。更に、操作が受け付けられ、操作に応じた画像を矩形、楕円形、多角形、線、などのオブジェクト単位で作成され、オブジェクト間の重なり順の情報と共に記憶される。そして、作成されたオブジェクト単位の画像の画像情報は外部装置へ送信され、作成された画像は表示されている画面上に重畳表示される。このとき、本発明の情報処理装置では、操作に応じて画像を作成する際に、各オブジェクト単位で他の装置での公開／非公開の選択が受け付けられ、オブジェクト毎に選択された公開可否情報が対応付けられる。作成された画像の画像情報が他の装置へ送信されるときには、当該公開可否情報も画像情報に含められて送信される。
これにより、情報処理装置での操作に応じて作成された画像は、自装置では表示部に表示されるが、他の装置では、オブジェクト単位で公開／非公開の選択が可能である。
【００２２】
本発明では、サーバ装置から受信した画像情報に基づく画像を含む画面上に、更に受信した画像情報に基づく画像を表示する。当該画像情報が公開可否情報を含む場合、画像情報に含められる公開可否情報に基づき、公開が選択されている画像可否情報が対応付けられたオブジェクトの画像のみが表示される。
これにより、情報処理装置にて非公開が選択されたオブジェクトの画像は、他の情報処理装置では表示されず、公開が選択されたオブジェクトの画像は、他の情報処理装置でも表示される。
【００２３】
本発明では、既に作成済みのオブジェクト単位の画像の選択が受け付けられ、選択された画像に対応付けて記憶してある公開可否情報の公開／非公開の変更が受け付けられる。
これにより、作成された画像については、作成後であってもオブジェクト単位で公開／非公開の選択が可能である。
【発明の効果】
【００２４】
本発明による場合、情報処理装置での操作に応じて作成された画像は、他の装置で表示される際の公開／非公開の選択が可能である。画像を共有できる会議システムにて、共有する画像の上に自分のみに見え、他の装置では公開されないような任意の画像を作成させることができ、且つ、それらを重ねて混在させることができる。本発明による情報処理装置を会議システムの端末装置として用いることにより、会議システムの会議参加者は、共有する画像の上に、自身にしか見えない書き込みを行なうことができ、使い勝手を向上させることができる。
【００２５】
また、本発明による場合、情報処理装置で公開が選択されたオブジェクトの画像は他の装置でも表示される。本発明による情報処理装置を会議システムの端末装置として用いることにより、会議参加者は自身が端末装置として用いる情報処理装置にて、自分のみに見えるメモ書きと、他の装置を用いる他の参加者にも共有させて見せるメモ書きとを、線などのオブジェクト単位毎に選択し、しかも重ねて混在させて表示することができ、会議システムの会議参加者の使い勝手を向上させることができる。
【００２６】
本発明による場合は更に、情報処理装置で画像作成のための操作の際に受け付ける公開／非公開の選択を、画像の作成後でもオブジェクト単位毎に選択可能とする。本発明による情報処理装置を会議システムの端末装置として用いることにより、最初に非公開でしていたメモ書きを後から他の装置でも表示されるように変更したり、逆に公開していたメモ書きを自分のみが見えるように変更することが可能であり、会議参加者の端末装置の使い勝手を更に向上させることができる。
【図面の簡単な説明】
【００２７】
【図１】実施の形態１における会議システムの構成を模式的に示す構成図である。
【図２】実施の形態１における会議システムを構成する端末装置の内部構成を示すブロック図である。
【図３】実施の形態１の会議システムを構成する会議サーバ装置の内部構成を示すブロック図である。
【図４】実施の形態１の会議システムの端末装置間でドキュメントデータが共有される仕組みを模式的に示す説明図である。
【図５】会議参加者が用いる端末装置のディスプレイに表示される会議端末用アプリケーションのメイン画面の一例を示す説明図である。
【図６】実施の形態１の会議システムを構成する端末装置での画像作成の処理手順の一例を示すフローチャートである。
【図７】実施の形態１の会議システムの端末装置で記憶される作成された画像の情報の内容例を示す説明図である。
【図８】実施の形態１の会議システムを構成する端末装置の表示処理手順の一例を示すフローチャートである。
【図９】実施の形態１の会議システムの端末装置による処理の結果得られる画面の例を示す説明図である。
【図１０】実施の形態２の会議システムの端末装置で記憶される画像情報の内容例を示す説明図である。
【図１１】実施の形態２の会議システムの端末装置による処理手順の一例を示すフローチャートである。
【図１２】実施の形態２の会議システムの端末装置による処理手順の一例を示すフローチャートである。
【図１３】実施の形態２の会議システムの端末装置による処理の結果得られる画面の変化の例を示す説明図である。
【発明を実施するための形態】
【００２８】
以下本発明をその実施の形態を示す図面に基づき具体的に説明する。
【００２９】
なお、以下の実施の形態では、本発明の情報処理装置を端末装置に用い、複数の端末装置を用いて音声、映像及び画像の共有を実現する会議システムの例を挙げて説明する。
【００３０】
（実施の形態１）
図１は、実施の形態１における会議システムの構成を模式的に示す構成図である。実施の形態１における会議システムは、会議参加者が用いる端末装置１，１，…と、端末装置１，１，…が接続されるネットワーク２と、端末装置１，１，…での音声、映像及び画像の共有を実現する会議サーバ装置３とを含んで構成される。
【００３１】
端末装置１，１，…及び会議サーバ装置３が接続されるネットワーク２は、会議が行なわれる会社組織の社内ＬＡＮでもよいし、インターネットなどの公衆通信網でもよい。端末装置１，１，…が会議サーバ装置３との接続の認証を受け、認証された端末装置１，１，…が会議サーバ装置３から共有の音声、映像及び画像の情報を送受信し、受信した音声、映像及び画像を出力することにより、他の端末装置１，…と音声、映像及び画像を共有してネットワークを介した会議を実現する。
【００３２】
図２は、実施の形態１における会議システムを構成する端末装置１の内部構成を示すブロック図である。
【００３３】
会議システムを構成する端末装置１はパーソナルコンピュータを用い、制御部１００と、一時記憶部１０１と、記憶部１０２と、入力処理部１０３と、表示処理部１０４と、通信処理部１０５と、映像処理部１０６と、入力音声処理部１０７と、出力音声処理部１０８とを備える。なお、端末装置１は会議端末用専用装置でもよい。端末装置１は更に、キーボード１１２と、タブレット１１３と、ディスプレイ１１４と、ネットワークＩ／Ｆ部１１５と、カメラ１１６と、マイク１１７と、スピーカ１１８とを内蔵又は外部接続により備える。
【００３４】
制御部１００は、ＣＰＵ（Central Processing Unit）を用い、記憶部１０２に記憶されている会議端末用プログラム１Ｐを一時記憶部１０１に読み出して実行することにより、パーソナルコンピュータを、本発明に係る情報処理装置として動作させる。
【００３５】
一時記憶部１０１にはＳＲＡＭ（Static Random Access Memory）、ＤＲＡＭ（Dynamic Random Access Memory）などのＲＡＭを用いる。一時記憶部１０１には、上述のように読み出される会議端末用プログラム１Ｐが記憶されると共に、制御部１００の処理によって発生する情報が記憶される。
【００３６】
記憶部１０２はハードディスク、又はＳＳＤ（Solid State Drive）などの外部装置を用いる。記憶部１０２には、会議端末用プログラム１Ｐが記憶されている。他に、端末装置１における他のアプリケーションソフトウェアプログラムが記憶されていてもよいのは勿論である。
【００３７】
入力処理部１０３には、図示しないマウス、又はキーボード１１２などの入力用ユーザインタフェースが接続されている。実施の形態１では、端末装置１はペン１３０による入力を受け付けるタブレット１１３を内蔵するので、タブレット１１３も入力処理部１０３に接続される。入力処理部１０３は、端末装置１のユーザ（会議参加者）の操作により入力されるボタンの押下情報、画面中の位置を示す座標情報などの情報を受け付け、制御部１００へ通知する。
【００３８】
表示処理部１０４には、液晶ディスプレイなどを用いるディスプレイ１１４が接続されている。ディスプレイ１１４は、上述のタブレット１１３を内蔵するタッチパネル型であってもよい。制御部１００は、表示処理部１４を介し、ディスプレイ１１４に会議端末用のアプリケーション画面を出力し、アプリケーション画面内に共有させる画像を表示させる。
【００３９】
通信処理部１０５は、ネットワークカードなどを用い、端末装置１のネットワーク２を介した通信を実現させる。詳細には、ネットワーク２に接続されてネットワークＩ／Ｆ部１１５と接続されており、ネットワーク２を介して送受信される情報のパケット化、パケットからの情報の読み取りなどを行なう。なお、本実施の形態１の会議システムを実現するために、通信処理部１０５による画像、音声を送受信するための通信プロトコルは、Ｈ．３２３、ＳＩＰ（Session Initiation Protocol）、又はＨＴＴＰ（Hypertext Transfer Protocol ）などのプロトコルを用いればよい。通信プロトコルはこれらに限られない。
【００４０】
映像処理部１０６は、端末装置１が備えるカメラ１１６に接続され、カメラ１１６の動作の制御を行なうと共に、カメラ１１６にて撮像された映像（画像）のデータを取得する。映像処理部１０６は、エンコーダを含んでいてもよく、カメラ１１６にて撮像された映像をＨ．２６４、ＭＰＥＧ（Moving Picture Experts Group）などの映像規格のデータへ変換する処理を行なってもよい。
【００４１】
入力音声処理部１０７は、端末装置１が備えるマイク１１７に接続され、マイク１１７によって集音された音声をサンプリングしてデジタルの音声データへ変換して制御部１００へ出力するＡ／Ｄ変換機能を有する。エコーキャンセラを内蔵していてもよい。
【００４２】
出力音声処理部１０８は、端末装置１が備えるスピーカ１１８に接続される。出力音声処理部１０８は、制御部１００から音声データが与えられた場合に、音声としてスピーカ１１８から出力させるようにＤ／Ａ変換機能を有する。
【００４３】
読取部１０９は、ＣＤ−ＲＯＭ、ＤＶＤ、ブルーレイディスク又はフレキシブルディスクなどである記録媒体９から情報を読み取ることが可能である。制御部１００は、読取部０９により記録媒体９に記録されているデータを一時記憶部１０１に記憶するか、又は記憶部１０２に記録する。記録媒体９には、コンピュータを本発明に係る情報処理装置として動作させる会議端末用プログラム９Ｐが記録されている。記憶部１０２に記録されている会議端末用プログラム１Ｐは、記録媒体９から制御部１００が読み出した会議端末用プログラム９Ｐの複製であってもよい。
【００４４】
図３は、実施の形態１の会議システムを構成する会議サーバ装置３の内部構成を示すブロック図である。
【００４５】
会議サーバ装置３は、サーバコンピュータを用い、制御部３０と、一時記憶部３１と、記憶部３２と、画像処理部３３と、通信処理部３４とを備え、更に、ネットワークＩ／Ｆ部３５を内蔵する。
【００４６】
制御部３０は、ＣＰＵを用い、記憶部３２に記憶されている会議サーバ用プログラム３Ｐを一時記憶部３１に読み出して実行することにより、サーバコンピュータを、本実施の形態１における会議サーバ装置３として動作させる。
【００４７】
一時記憶部３１にはＳＲＡＭ、ＤＲＡＭなどのＲＡＭを用いて、上述のように読み出される会議サーバ用プログラム３Ｐが記憶されると共に、制御部３０の処理によって、後述するような画像情報などが一時的に記憶される。
【００４８】
記憶部３２にはハードディスクを用いる。記憶部３２には、上述の会議サーバ用プログラム３Ｐが記憶されている。また、記憶部３２には、会議参加者が用いる端末装置１，１，…の認証を行なうための認証データが記憶されている。更に、会議システムで各端末装置１，１，…で共有の資料を表示できるようにするため、会議サーバ装置３の記憶部３２には、複数のドキュメントデータが共有ドキュメントデータ３６として記憶されている。ドキュメントデータは、テキストデータ、写真データ、図データなどであり、フォーマットなどは問わない。
【００４９】
画像処理部３３は、制御部３０からの指示に従って画像を作成する。具体的には、画像処理部２３は、記憶部３２に記憶してある共有ドキュメントデータ３６の内、各端末装置１，１，…にて表示対象となるドキュメントデータを受け付け、該ドキュメントデータを画像に変換して出力する。
【００５０】
通信処理部３４は、ネットワークカードなどを用い、会議サーバ装置３のネットワーク２を介した通信を実現させる。詳細には、ネットワーク２に接続されてネットワークＩ／Ｆ部３５と接続されており、ネットワーク２を介して送受信される情報のパケット化、パケットからの情報の読み取りなどを行なう。なお、本実施の形態１の会議システムを実現するために、通信処理部３４による画像、音声を送受信するための通信プロトコルは、Ｈ．３２３、ＳＩＰ、又はＨＴＴＰなどのプロトコルを用いる。通信プロトコルはこれらに限られない。
【００５１】
本実施の形態１における会議システムを用いた電子会議に参加する会議参加者は、端末装置１を用い、キーボード１１２又はタブレット１１３（即ちペン１３０）を用いて会議端末用アプリケーションを起動させる。会議端末用アプリケーションが起動すると、認証情報の入力画面がディスプレイ１１４に表示される。会議参加者は、入力画面に、ユーザＩＤ及びパスワードなどの認証情報を入力する。端末装置１では、認証情報の入力を入力処理部１０３にて受け付け、制御部１００に通知する。制御部１００は、受け付けた認証情報を通信処理部１０５により会議サーバ装置３へ送信し、認証結果を受信する。このとき、認証情報と共に、端末装置１に割り振られているＩＰアドレスの情報が会議サーバ装置３へ送信されるようにしてある。これにより、以後、会議サーバ装置３は、ＩＰアドレスにて各端末装置１，１，…を識別することが可能である。
【００５２】
端末装置１を利用する会議参加者が、承認されている者である場合、端末装置１は会議端末用アプリケーションのメイン画面を表示し、会議参加者は会議用端末として端末装置１を利用することができるようになる。このとき、承認結果が未承認である場合、即ち会議に招待されていない人物である場合には、端末装置１から未承認である旨のメッセージがディスプレイ１１４に表示されるなどしてもよい。
【００５３】
ここで、端末装置１，１，…間でドキュメントデータが共有されて会議が実現される仕組みを模式的に示す図を用いて説明する。図４は、実施の形態１の会議システムの端末装置間でドキュメントデータが共有される仕組みを模式的に示す説明図である。
【００５４】
会議サーバ装置３の記憶部３２には、共有ドキュメントデータ３６が記憶されている。共有ドキュメントデータ３６の内、会議で使用される共有ドキュメントデータ３６が画像処理部３５によって頁毎に画像（イメージ）に変換される。画像処理部３５によって頁毎に画像へ変換されたドキュメントデータは、ネットワーク２を介して端末装置１，１で受信される。なお、以下、２つの端末装置を区別するために、一方をＡ端末装置１、他方をＢ端末装置１と呼ぶ。
【００５５】
Ａ端末装置１もＢ端末装置１も、会議サーバ装置３から共有するドキュメントデータの頁毎の画像を受信し、ディスプレイ１１４に表示させるべく表示処理部１０４から出力する。このとき、表示処理部１０４は、共有するドキュメントデータの各頁の画像を、表示する画面における最下層のレイヤ（太字）に属するようにして描画する。
【００５６】
そして、Ａ端末装置１及びＢ端末装置１のいずれでも、タブレット１１３及びペン１３０によるメモの書き込みが可能である。制御部１００は、入力処理部１０３を介してペン１３０からの入力に応じて画像を作成する。各Ａ端末装置１，Ｂ端末装置１で作成された画像は、表示する画面において最上層のレイヤに属するように描画される。
【００５７】
更に、Ａ端末装置１及びＢ端末装置１の夫々でメモの書き込みがされて作成された画像の情報は、書込情報として会議サーバ装置３へ送信される。書込情報は例えば、作成された画像のオブジェクト毎の種類、色、太さ、線種、塗りなどの書式、座標の情報である。
【００５８】
会議サーバ装置３では、各端末装置１，１，…から送信された画像の情報を、書込情報として一時記憶部３１に記憶する。記憶部３２に記憶されてもよい。実施の形態１では、定期的に記憶部３２へ保存されるとする。このとき、会議サーバ装置３は、各端末装置１，１，…からの画像の情報を、端末装置１，１，…を夫々識別して記憶する。図４では、Ａ端末装置１で作成された画像の情報は、書込情報３１１ＡとしてＡ端末装置１を識別する情報（端末Ａ）と対応付けて記憶されている。同様にＢ端末装置１で作成された画像の情報は、書込情報３１１ＢとしてＢ端末装置１を識別する情報（端末Ｂ）と対応付けて記憶されている。
【００５９】
そして、各端末装置１，１，…毎に記憶されている書込情報３１１Ａ，３１１Ｂは、会議サーバ装置３により、異なる端末装置１，１，…へ送信される。つまり、Ａ端末装置１で書き込まれた画像の情報である書込情報３１１Ａは、会議サーバ装置３からＢ端末装置１へ送信される。Ｂ端末装置１の書込情報３１１Ｂも同様に、会議サーバ装置３からＡ端末装置１へ送信される。
【００６０】
Ａ端末装置１は、会議サーバ装置３から送信されるＢ端末装置１の書込情報３１１Ｂに基づき、画像を作成して表示処理部１０４によりディスプレイ１１４に表示させる。このとき他の端末装置１での書込情報に基づく画像は、共有するドキュメントデータの頁毎の画像が属する最下層のレイヤと、Ａ端末装置１で書き込まれて作成される画像が属する最上層のレイヤとの間のレイヤで描画されるようにしてある。Ｂ端末装置１でも同様である。
【００６１】
これにより、図４の最下部に示されるように、Ａ端末装置１及びＢ端末装置１のいずれでも、共有するドキュメントデータの画像の上に、他の端末装置１，１，…で書き込まれた画像が表示され、最も上にＡ端末装置１又はＢ端末装置１自身のタブレット１１３にて書き込まれた画像が表示される。
【００６２】
また、各端末装置１，１，…にて共有ドキュメントデータ３６のいずれのデータの、いずれの頁の画像が表示（閲覧）されているのかの情報が閲覧情報として記憶され、会議サーバ装置３へ定期的に送信される。会議サーバ装置３では、各端末装置１，１，…毎に、いずれのデータのいずれの頁の画像が表示されているのかの情報を閲覧情報３１２Ａ、３１２Ｂとして一時記憶部３１に記憶する。なお、閲覧情報３１２Ａ，３１２Ｂは、各端末装置１，１，…で各レイヤが重ねられた結果の画像でもよい。各端末装置１，１，…にていずれのデータのいずれの頁が表示されているかを会議サーバ装置３にて記憶されることにより、全ての端末装置１，１，…で同じタイミングで同じ頁が同期して表示されるように動作させるなどの処理も可能である。
【００６３】
このようにして、各端末装置１，１，…にてドキュメントデータの画像を共有し、当該画像の上に、自身で作成された画像が表示されると共に、他の会議参加者が用いる他の端末装置１，１，…で作成された画像をも共有する。したがって、各端末装置１，１，…を用いる会議参加者は、同じドキュメントデータを閲覧し、自身の書き込みを他の会議参加者へ見せたり、他の会議参加者の書き込みを見ることができる。このとき、各端末装置１，１，…でマイク１１７により集音された音声データも、会議サーバ装置３へ送信され会議サーバ装置３で重ねられて各端末装置１，１，…へ送信され、各端末装置１，１，…にてスピーカ１１８から出力される。これにより、資料及び音声を共有する電子会議を実現できる。
【００６４】
このとき、Ａ端末装置１を使用する会議参加者は、タブレット１１３を用いて書き込んだ自身のメモをディスプレイ１１４にて勿論閲覧できるが、当該メモは書込情報３１１Ａとして会議サーバ装置３を介して他のＢ端末装置へも送信されて表示される。ところが、書き込みには個人的なメモのための書き込みもある。
【００６５】
そこで、本実施の形態１では、各端末装置１，１，…の主に制御部１００、一時記憶部１０１、記憶部１０２、入力処理部１０３、表示処理部１０４、通信処理部１０５の処理により、他の会議参加者が用いる端末装置１，１，…では閲覧されないメモを書き込むことができるようにする。以下、閲覧されないメモを書き込むことができるようにするための構成について説明する。
【００６６】
会議参加者が上述のように会議端末用アプリケーションを起動させると、端末装置１の制御部１００は、記憶部１０２に記憶されている会議端末用プログラム１Ｐを読み出して実行し、まず入力画面が表示される。入力画面に入力される認証情報により、会議参加者が承認された場合、制御部１００は、メイン画面４００を表示させ、会議参加者は端末装置１を会議用端末として利用を開始できるようになる。図５は、会議参加者が用いる端末装置１のディスプレイ１１４に表示される会議端末用アプリケーションのメイン画面４００の一例を示す説明図である。
【００６７】
会議端末用アプリケーションのメイン画面４００は、一例として、略中央に、共有対象のドキュメントデータの画像を表示する共有画面４０１を含む。図４に示す例では、共有画面４０１には、共有されているドキュメントデータのドキュメント画像４０２の全体が表示されるように縮小されて含められている。
【００６８】
共有画面４０１の高さ方向に略中央の左端の位置には、ドキュメントデータの前頁への移動を指示するための前頁ボタン４０３が表示されている。同様に、共有画面４０１の高さ方向に略中央の右端の位置には、ドキュメントデータの後頁（次頁）への移動を指示するための後頁ボタン４０４が表示されている。
【００６９】
端末装置１を用いる会議参加者が、ペン１３０又はマウスなどを用い、ディスプレイ１１４上のポインタを前頁ボタン４０３又は後頁ボタン４０４に重ねてクリック操作をした場合には、表示されているドキュメントデータの前頁又は後頁の画像が共有画面４０１に表示される。
【００７０】
メイン画面４００の内、共有画面４０１の左方には、他の会議参加者を選択するための選択ボタン４０５が表示されている。選択ボタン４０５が押下された場合、該当する他の会議参加者の書き込み全てに関する表示／非表示が切り替わる。非表示とした場合には、該当する他の会議参加者の書き込みはいずれも表示されない。表示とした場合には、該当する他の会議参加者の書き込みの内、後述するように非公開とされたオブジェクトの画像以外は表示される。
【００７１】
例えば、端末装置１を用いる会議参加者が、「００３」に対応する他の会議参加者の選択ボタン４０５を押下して非表示とした場合、「００３」に対応する他の会議参加者が用いる端末装置１における書き込みは全て表示されない。逆に、「００３」に対応する他の会議参加者が用いる端末装置１における書き込みのみが表示されるようにすることもできる。
【００７２】
メイン画面４００の内、共有画面４０１の右方には、描画の際の道具を選択するための各種操作ボタンが表示されている。各種操作ボタンには、公開ペンボタン４０６、秘密ペンボタン４０７、色又は太さ選択ボタン４０８、消しゴムボタン４０９、図形ボタン４１０、オブジェクト選択ボタン４１１、ズームボタン４１２、及び同期／非同期ボタン４１３が含まれる。
【００７３】
公開ペンボタン４０６又は秘密ペンボタン４０７は、描画する画像（書き込み）を他の端末装置１，１，…で公開するか否かの選択を受け付けるボタンである。端末装置１を用いる会議参加者は、公開ペンボタン４０６か又は秘密ペンボタン４０７が選択された状態で、マウス又はペン１３０などを用い、ディスプレイ１１４上のポインタを共有画面４０１上に重ねてクリックしながらマウスを動かすか、又はペン１３０をタブレット上で動かすと、自由な線で共有画面４０１上に描画が可能である。また、公開ペンボタン４０６か秘密ペンボタン４０７が選択された状態で、図形ボタン４１０を押下すると、図形（楕円形、多角形など）を描画することができ、当該図形は選択されたペンの種類に応じて他の端末装置１で公開されるか、又は秘密とされる。
【００７４】
会議参加者の描画によって作成された自由な線、図形の画像は夫々オブジェクト単位で区別される。作成された画像の情報はオブジェクト単位で重なり順を示す情報と共に一時記憶部１０１に記憶される。更に、「公開ペン」又は「秘密ペン」のいずれが選択されて描画された画像であるかの情報が対応付けられて記憶される。そして、画像の情報は会議サーバ装置３に送信され、書込情報３１１Ａ，３１１Ｂ，…として記憶される。
【００７５】
なお上述したように、端末装置１を用いる会議参加者の操作により描画される自由曲線などのオブジェクトは、共有画面４０１に表示されているドキュメントデータの画像が含まれるレイヤとは異なる最上層のレイヤに属する。
【００７６】
色又は太さ選択ボタン４０８は、画像の線又は塗りの色、線の太さなどの書式の選択を受け付けるボタンである。端末装置１を用いる会議参加者は、色又は太さ選択ボタン４０８でいずれかの書式を選択した書式で描画することにより、制御部１００により選択された書式で図形が作成される。
【００７７】
消しゴムボタン４０９は、作成された画像の消去を受け付けるボタンである。端末装置１を用いる参加者は、消しゴムボタン４０９を選択した状態で、当該端末装置１で作成されて表示されている画像上に、マウス又はペン１３０などを用いてディスプレイ１１４上のポインタを重ねてクリックしながらマウス又はペン１３０を動かすと、表示されている画像がポインタに沿って消去される。
【００７８】
図形ボタン４１０は、作成する画像の選択を受け付けるためのボタンである。図形ボタン４１０では、制御部１００により作成される画像（オブジェクト）の種類の選択を受け付ける。たとえば円形、楕円形、多角形などの選択を受け付ける。
【００７９】
選択ボタン４１１は、会議参加者の描画以外の操作を受け付けるためのボタンである。例えば、選択ボタン４１１が選択されている場合には、制御部１００は、入力処理部１０３を介して既に作成されている画像のいずれかの選択を受け付ける。端末装置１を用いる会議参加者が、選択ボタン４１１が選択された状態で、マウス又はペン１３０などを用い、ディスプレイ１１４上のポインタを共有画面４０１上に重ねてクリックしながらマウスを動かすか、又はペン１３０をタブレット上で動かすと、共有画面４０１上に当該会議参加者が描画した画像のいずれかをオブジェクト毎に選択できる。
【００８０】
ズームボタン４１２は、共有画面４０１に表示されているドキュメントデータの画像の拡大、縮小の操作を受け付けるボタンである。会議参加者が、拡大が選択された状態で共有画面４０１上にポインタを重ねてマウス又はペン１３０をクリックすると、共有のドキュメントデータの画像と、当該画像上の書き込みとの両方が拡大されて表示される。縮小の場合も同様である。
【００８１】
同期・非同期ボタン４１３は、共有画面４０１に表示されているドキュメントデータの画像の表示を、端末装置１，１，…の内のいずれか特定の端末装置１での表示と同一となるように同期させるか否かの選択を受け付けるボタンである。同期が選択されている状態では、当該端末装置１を用いる会議参加者の前頁、後頁などの操作を受け付けることなく、特定の端末装置１での閲覧情報に基づき、他の端末装置１，１，…で表示されるドキュメントデータの頁が会議サーバ装置３からの指示に基づき制御部１００によって制御される。
【００８２】
このようなメイン画面４００に含まれる各種ボタンの操作を受け付け、制御部１００は、会議サーバ装置３から受信する共有ドキュメントデータ３６の画像を共有画面４０１に表示すると共に、操作に応じて画像を生成して一時記憶部１０１に記憶し、会議サーバ装置３へ送信する。
【００８３】
なお、会議参加者毎の選択ボタン４０５では、各会議参加者が用いる端末装置１，１，…に夫々対応するレイヤ毎に表示／非表示を、受信した端末装置１側で切り替えることが出来る。これに対し、オブジェクト毎の画像の公開／非公開の切り替えは、送信元の端末装置１側で切り替えられる。非公開が選択されている場合には、当該送信元の端末装置１を用いる会議参加者の書き込みを表示するように選択ボタン４０５が選択されていて、当該端末装置１に対応するレイヤ全体としては表示されるとしても、当該レイヤに含まれる画像のオブジェクトは表示されない。
【００８４】
次に、会議参加者の操作に応じて制御部１００が画像を作成する処理をフローチャートを参照して説明する。図６は、実施の形態１の会議システムを構成する端末装置１での画像作成の処理手順の一例を示すフローチャートである。
【００８５】
制御部１００は、メイン画面４００をディスプレイ１１４に表示させた状態で、タブレット１１３等の入力装置で何らかの操作がされた場合、又は制御部１００自身の画面の更新がされた場合に入力処理部１０３からなされる通知（イベント通知）を受け付け、以下のような処理手順により、画像の作成を行なう。
【００８６】
制御部１００は初期的に、画像を作成する際のペンの種類を「公開」に設定する（ステップＳ１０１）。制御部１００は、イベント通知を受け付けたか否かを判断する（ステップＳ１０２）。制御部１００は、イベント通知を受け付けていないと判断した場合（Ｓ１０２：ＮＯ）、処理をステップＳ１０２へ戻してイベント通知を受け付けるまで待機する。
【００８７】
制御部１００は、イベント通知を受け付けたと判断した場合（Ｓ１０２：ＹＥＳ）、受け付けたイベントが秘密ペンボタン４０７の押下であるか否かを判断する（ステップＳ１０３）。制御部１００は、秘密ペンボタン４０７の押下であると判断した場合（Ｓ１０３：ＹＥＳ）、ペンの種類として「秘密ペン」の選択を受け付けたと判断し、以後、画像を作成する際のペンの種類を「秘密」に設定する（ステップＳ１０４）。制御部１００は次に、以後の共有画面４０１上でクリック及びドラッグなどの操作がされた場合に、当該操作を書き込みの操作として受け付ける状態（書き込みモード）に設定し（ステップＳ１０５）、処理をステップＳ１０２へ戻して次のイベント通知がなされるまで待機する。
【００８８】
制御部１００は、受け付けたイベントが秘密ペンボタン４０７の押下でないと判断した場合（Ｓ１０３：ＮＯ）、受け付けたイベントが公開ペンボタン４０６の押下であるか否かを判断する（ステップＳ１０６）。制御部１００は、受け付けたイベントが公開ペンボタン４０７の押下であると判断した場合（Ｓ１０６：ＹＥＳ）、ペンの種類として「公開ペン」の選択を受け付けたと判断し、以後、画像を作成する際のペンの種類を「公開」に設定する（ステップＳ１０７）。制御部１００は次に、以後の共有画面４０１で操作がされた場合に、当該操作を書き込みの操作として受け付ける状態（書き込みモード）に設定し（Ｓ１０５）、処理をステップＳ１０２へ戻して次のイベント通知がなされるまで待機する。
【００８９】
制御部１００は、受け付けたイベントが公開ペンボタン４０７の押下でないと判断した場合（Ｓ１０６：ＮＯ）、受け付けたイベントはペンの選択以外のものである。制御部１００は、ステップＳ１０５により、受け付けたイベントが、書き込みの操作として受け付ける状態に設定されている場合での共有画面４０１上でのクリック又はドラッグなどの操作であるか否かを判断する（ステップＳ１０８）。制御部１００は、受け付けたイベントが、ステップＳ１０８にて共有画面４０１上でのクリック又はドラッグなどの操作であると判断した場合（Ｓ１０８：ＹＥＳ）、操作に応じた線、図形を作成し（ステップＳ１０９）、作成した線、図形を表示処理部１０４を介してディスプレイ１１４に表示させる（ステップＳ１１０）。制御部１００は、ステップＳ１０９で画像を作成する際には、当該画像に対応するペンの種類は、ステップＳ１０４又はＳ１０７にて設定されたものとする。そして制御部１００は、処理をステップＳ１０２へ戻して引き続き次のイベント通知がなされるまで待機する。
【００９０】
制御部１００は、受け付けたイベントがペンの選択以外のものであって、共有画面４０１上でのクリック又はドラッグなどの描画操作でないと判断した場合（Ｓ１０８：ＮＯ）、例えばペン１３０がタブレット１１３から離れたこと、又はクリックがオフとなったことなど、他のボタンが押下されるなど、書き込み終了に対応するイベントであるか否かを判断する（ステップＳ１１１）。
【００９１】
制御部１００は、受け付けたイベントが書き込み終了に対応するイベントでないと判断した場合（Ｓ１１１：ＮＯ）、処理をステップＳ１０２へ戻して書き込みに関する次のイベント通知がなされるまで待機する。
【００９２】
制御部１００は、受け付けたイベントが書き込み終了に対応するイベントであると判断した場合（Ｓ１１１：ＹＥＳ）、ステップＳ１０３からステップＳ１１０の処理によって作成された画像の座標情報などの情報を記憶し、会議サーバ装置３へ送信し（ステップＳ１１２）、書き込みの操作に応じた画像の作成の処理を終了する。
【００９３】
図６のフローチャートに示したような手順で作成された画像の画像情報の例を挙げて説明する。図７は、実施の形態１の会議システムの端末装置１，１，…で記憶される作成された画像の情報の内容例を示す説明図である。図７に示すように、画像情報は、オブジェクト単位でオブジェクトの種類、描画の際に選択されたペンの種類、及び画像の座標の情報を含む。図７の例では、オブジェクトの種類として円（楕円）、四角、三角、自由曲線が挙げられており、三角のオブジェクト以外は秘密ペンが選択された状態で作成されたことが示されている。そして図７の例では、円の図形であれば中心点と半径、または外接矩形の左上頂点及び右下頂点の座標の情報、自由曲線であれば、自由曲線が含む複数の点の座標の情報が示されている。
【００９４】
また、図７に示す例のオブジェクト単位の画像の情報は、情報の列の順が表示された場合の重なり順に対応する。つまり、図７中の円形、四角形、三角形、自由曲線の順に重なることを示す。円形の上に四角形、三角形が重畳表示され、自由曲線が最も上に表示される。なお、番号などによって重なり順を示し、各オブジェクトに対応付けて記憶されるようにしてもよい。
【００９５】
図６及び図７を参照して説明したように作成され記憶された画像が、ディスプレイ１１４に表示される処理手順を説明する。図８は、実施の形態１の会議システムを構成する端末装置１による表示処理手順の一例を示すフローチャートである。
【００９６】
制御部１００は、通信処理部１０５により、ネットワーク２及びネットワークＩ／Ｆ部１１５を介して会議サーバ装置３から共有するドキュメントデータの画像情報を受信する（ステップＳ２０１）。同様に、制御部１００は、会議サーバ装置３から他の端末装置１，１，…毎に記憶されている書込情報を受信する（ステップＳ２０２）。受信された書込情報は、一時記憶部１０１に記憶される。そして制御部１００は、ステップＳ２０１で受信した共有のドキュメントデータの画像情報に基づく画像をメイン画面４００の共有画面４０１に表示する（ステップＳ２０３）。
【００９７】
次に制御部１００は、他の端末装置１，１，…の書込情報に基づく画像を全て表示したか否かを判断する（ステップＳ２０４）。制御部１００は、他の端末装置１，１，…の書込情報に基づく画像を全て表示したと判断した場合（Ｓ２０４：ＹＥＳ）、制御部１００が自身の動作により作成した画像を共有画面４０１の共有のドキュメントデータの画像の上の最上層レイヤで表示し（ステップＳ２０５）、処理を終了する。
【００９８】
制御部１００は、ステップＳ２０４にて、他の端末装置１，１，…のいずれかの書込情報に基づく画像を表示していないと判断した場合（Ｓ２０４：ＮＯ）、当該他の端末装置１，１，…の書込情報を読み出す（ステップＳ２０６）。制御部１００は、書込情報が含む全オブジェクトに対して以下のステップＳ２０８からステップＳ２１０までの処理を行なったか否かを判断する（ステップＳ２０７）。
【００９９】
制御部１００は、全オブジェクトに対する処理を行なっていないと判断した場合（Ｓ２０７：ＮＯ）、図６に示したような画像のオブジェクトを１つずつ読み出し（ステップＳ２０８）、当該オブジェクトは「秘密ペン」、即ち他装置での非公開が対応付けられているか否かを判断する（ステップＳ２０９）。
【０１００】
制御部１００は、「秘密ペン」ではなく「公開ペン」が対応付けられていると判断した場合（Ｓ２０９：ＮＯ）、当該オブジェクトの画像を共有画面４０１の共有のドキュメントデータの画像上に表示させる（ステップＳ２１０）。このとき、制御部１００は処理をステップＳ２０７へ戻し、全てのオブジェクトについて表示するか否かを判断する。
【０１０１】
制御部１００は、ステップＳ２０９において、オブジェクトには「秘密ペン」が対応付けられていると判断した場合（Ｓ２０９：ＹＥＳ）、端末装置１では非公開であるから、オブジェクトの画像を表示させることなく、処理をステップＳ２０７へ戻す。
【０１０２】
図８のフローチャートに示した処理手順によって異なるＡ端末装置１及びＢ端末装置１夫々で表示される例を説明する。図９は、実施の形態１の会議システムの端末装置１の処理の結果得られる画面の例を示す説明図である。なお、図９に示す例は、Ａ端末装置１にて作成された図７に示した画像の情報に対応する。
【０１０３】
図９の左側に、Ａ端末装置１のメイン画面４００中の共有画面４０１、右側にＢ端末装置１の共有画面４０１を示している。左側のＡ端末装置１の共有画面４０１には、共有のドキュメントデータの画像が最下層レイヤで表示され、その上に端末装置１を用いる会議参加者が描画した画像が表示されている。図９の例では、円形、四角形、三角形が重畳表示されており、円形は四角形に隠れ、四角形は三角形に隠れて表示されている。また、Ａ端末装置１の共有画面４０１には、共有のドキュメントデータの画像中の「開発日程」の部分を指し示した文字が自由曲線にて作成されて表示されている。ここで、図７に示したように、三角形以外の画像は「秘密ペン」が選択された状態で作成されている。Ａ端末装置１では、いずれも書き込まれたメモとして表示されている。
【０１０４】
そして、図９の左側に示されるＡ端末装置１で作成された画像情報即ち書込情報（図７）は、会議サーバ装置３へ送信されてＡ端末装置１に対応付けられて書込情報３１１Ａとして会議サーバ装置３で記憶される。そして、書込情報３１１Ａは、Ａ端末装置１での書込情報としてＢ端末装置１で受信される。
【０１０５】
Ｂ端末装置１でも、図８のフローチャートに示したような処理がされる。このとき、Ａ端末装置１での書込情報については、オブジェクト単位でペンの種類、即ち公開される画像であるか、非公開の画像であるかが判断される。そして、公開される画像であると判断された場合のみ、Ｂ端末装置１のディスプレイ１１４に表示される。Ａ端末装置１で作成された画像のオブジェクトの内、ペンの種類が公開ペンであることが対応付けられているオブジェクトは三角形のみである。したがって、図９の右側に示すように、Ｂ端末装置１では三角形のみが表示され、Ａ端末装置１で表示されている自由曲線の書き込みなどは表示されない。
【０１０６】
このようにして、各端末装置１，１，…で操作に応じて作成される画像は、他の端末装置１，１，…で表示されるか否か、つまり公開／非公開の選択が可能である。図９の説明図に示したように、Ａ端末装置１を用いる会議参加者は、自分のみに見える書き込みをすることができる。しかも、画像はオブジェクト毎に作成され、オブジェクト毎に公開／非公開の選択が可能であるから、自分が用いる端末装置１では、公開／非公開のオブジェクトの画像を相互に重ねて表示させることも可能である。公開するオブジェクトのみ、共有画面４０１中の特定の領域に書き込むなどの作業をする必要もなく、いずれの画像を他の端末装置１，１，…でも見せてもよいかだけを作成する際のペンで選択しておけば、会議参加者は特に意識せずに、共有のドキュメントデータに重ねてメモをすることが可能である。なお、図９に示したように、書込みは、共有画面４０１中の共有のドキュメントデータの画像４０２の領域外にも可能であるから、使い勝手がよい。
【０１０７】
（実施の形態２）
実施の形態１では、「公開ペン」又は「秘密ペン」の選択は、画像の作成時に可能である構成とした。会議参加者としては、他の端末装置１，１，…でも見せていた画像も事後的に、自分にのみ見えるようにしたいと望む場合、また、逆のことを望む場合もある。そこで実施の形態２では、作成した画像のオブジェクト毎に、事後的にペンの種類、即ち公開／非公開を変更できる構成とする。
【０１０８】
実施の形態２における会議システムの構成は、事後的にペンの種類を選択可能とするための処理の詳細以外は、実施の形態１における構成と同様である。したがって、実施の形態１と共通する構成については同一の符号を付して詳細な説明を省略し、実施の形態１と相違する処理について以下、説明する。
【０１０９】
図１０は、実施の形態２の会議システムの端末装置で記憶される画像情報の内容例を示す説明図である。図１０に示す例は、図７に示した画像情報の例と対応する。図７に示した実施の形態１における画像情報のオブジェクトの種類、ペンの種類、座標情報及び重なり順の情報（各オブジェクトの順序）に加え、選択フラグの情報が追加されている。選択フラグは、選択ボタン４１１の押下がされてからオブジェクトが選択された場合に設定される情報であり、オブジェクトが選択されているか否かを示す情報である。選択フラグがＯＮの状態で、ペンの種類を選択するための公開ペンボタン４０６又は秘密ペンボタン４０７のいずれかが押下された場合、ペンの種類が押下されたボタンに応じて変更される。また、選択フラグがＯＮの場合、選択されていることを示すために画像を強調表示するようにしてある。
【０１１０】
フローチャートを参照して、ペンの種類を事後的に変更する処理を説明する。図１１及び図１２は、実施の形態２の会議システムの端末装置１による処理手順の一例を示すフローチャートである。実施の形態１の図６のフローチャートに示した画像作成時にペンの種類を選択する処理と共に行なうことができるので、図６に処理手順を加える形で示す。図６のフローチャートに示す処理手順と共通する手順については同一のステップ番号を付して詳細な説明を省略する。
【０１１１】
制御部１００は、入力処理部１０３からなされるイベント通知を受け付けたか否かを判断する（Ｓ１０２）。制御部１００は、イベント通知を受け付けたと判断した場合（Ｓ１０２：ＹＥＳ）、当該イベントが秘密ペンボタン４０７の押下でなく、公開ペンボタンボタン４０６の押下でもないと判断した場合（Ｓ１０３：ＮＯ、Ｓ１０６：ＮＯ）、既に作成されている画像のいずれかの選択を受け付ける選択ボタン４１１の押下であるか否かを判断する（ステップＳ１２１）。
【０１１２】
制御部１００は、受け付けたイベントが選択ボタン４１１の押下でもないと判断した場合に（Ｓ１２１：ＮＯ）、処理をステップＳ１０８へ進めて共有画面４０１上の操作であるか否かを判断する（Ｓ１０８）。
【０１１３】
制御部１００は、受け付けたイベントが選択ボタン４１１の押下であると判断した場合（Ｓ１２１：ＹＥＳ）、以後は、既に作成されて自装置のディスプレイ１１４で表示されている画像のいずれかの選択を受け付ける状態（選択モード）に設定し（ステップＳ１２２）、記憶している画像情報の全オブジェクトの選択フラグをＯＦＦに設定しておく（ステップＳ１２３）。制御部１００は、処理をステップＳ１０２へ戻し、次のイベント通知がなされるまで待機する。
【０１１４】
また制御部１００は、受け付けたイベントが選択ボタン４１１の押下でもないと判断した場合に（Ｓ１２１：ＮＯ）、処理をステップＳ１０８へ進めて共有画面４０１上の操作であると判断した場合（Ｓ１０８：ＹＥＳ）、現在の共有画面４０１が、ステップＳ１０５により書き込みを受け付ける状態（書き込みモード）に設定されているか否かを判断する（Ｓ１２４）。制御部１００は、書き込みを受け付ける状態に設定されていると判断した場合（Ｓ１２４：ＹＥＳ）、操作に応じた線、図形を作成してディスプレイ１１４に表示させる（Ｓ１０９，Ｓ１１０）。
【０１１５】
制御部１００は、選択を受け付ける状態（選択モード）に設定されていると判断した場合（Ｓ１２４：ＮＯ）、操作に応じて選択された画像（クリックされた際の座標を内包する画像の内の最も上に表示されている画像）のオブジェクトの選択フラグをＯＮに設定し（ステップＳ１２５）、処理をステップＳ１０２へ戻し、次のイベント通知がなされるまで待機する。
【０１１６】
そして制御部１００は、イベント通知を受け付けたと判断し（Ｓ１０２：ＹＥＳ）、受け付けたイベントが秘密ペンボタン４０７の押下であると判断した場合（Ｓ１０３：ＹＥＳ）、ペンの種類を「秘密ペン」に設定し（Ｓ１０４）、現在共有画面４０１上で選択されているオブジェクト、即ち選択フラグがＯＮであるオブジェクトが有るか否かを判断する（ステップＳ１２６）。また、イベント通知を受け付けたと判断し（Ｓ１０２：ＹＥＳ）、受け付けたイベントが公開ペンボタン４０６の押下であると判断した場合（Ｓ１０６：ＹＥＳ）、ペンの種類を「公開ペン」に設定し（Ｓ１０７）、処理をステップＳ１２６へ進める。
【０１１７】
制御部１００は、ステップＳ１２６で選択されているオブジェクトがないと判断した場合（Ｓ１２６：ＮＯ）、書き込みを受け付ける状態に設定し（Ｓ１０５）、処理をステップＳ１０２へ戻す。
【０１１８】
制御部１００は、ステップＳ１２６で、選択されているオブジェクト即ち選択フラグがＯＮであるオブジェクトが有ると判断した場合（Ｓ１２６：ＹＥＳ）、当該選択フラグがＯＮであるオブジェクトのペンの種類を、設定されているペンの種類に変更する（ステップＳ１２７）。
【０１１９】
図１１及び図１２のフローチャートに示した処理手順によってペンの種類が変更される例を説明する。図１３は、実施の形態２の会議システムの端末装置１による処理の結果得られる画面の変化の例を示す説明図である。図１３の説明図の構成は、実施の形態１の図９の図の構成と同様であり、上から下へ操作に応じて表示が変化している。
【０１２０】
図１３の上段には、異なるＡ端末装置１、及びＢ端末装置１夫々で、ペンの種類が変更される前に表示されている画面の例が示されている。このときに表示されている画像の例は、Ａ端末装置１にて作成された図１０に示した画像の情報に対応する。Ａ端末装置１で書き込まれた画像の内、三角形の画像のみがＢ端末装置１でも表示されている。
【０１２１】
図１３の中段には、Ａ端末装置１にて選択ボタン４１１が押下されて四角形の画像のオブジェクトの上にポインタがある状態でクリックがされた場合の例が示されている。このとき、制御部１００は、図１１及び図１２のフローチャートに示したように、共有画面４０１上で操作がされた場合に、選択を受け付ける状態（選択モード）に設定されていると判断された場合、選択された画像のオブジェクトの選択フラグをＯＮに設定する（Ｓ１２５）。図１０の説明図に示した画像情報における四角形のオブジェクトの選択フラグは、ＯＦＦからＯＮに設定される。選択された画像を把握できるようにするため、図１３の中段に示すように、選択された画像は強調表示される。
【０１２２】
図１３の下段には、Ａ端末装置１にて、中段に示す四角形の画像のオブジェクトが選択された状態で公開ペンボタン４０６が押下された場合の例が示されている。このとき、制御部１００は、図１１及び図１２のフローチャートに示したように、受け付けたイベントが公開ペンボタン４０６の押下であると判断する（Ｓ１０６：ＹＥＳ）。そして制御部１００は、ペンの種類を「公開ペン」に設定すると共に（Ｓ１０７）、選択されているオブジェクトが有ると判断し（Ｓ１２６：ＹＥＳ）、選択されているオブジェクトのペンの種類を設定した「公開ペン」に変更する（Ｓ１２７）。これにより、Ａ端末装置１で作成された画像の情報の内、四角形のオブジェクトのペンの種類は「公開ペン」へと変更される。当該画像の情報も操作の終了により（Ｓ１１１：ＹＥＳ）、記憶されて会議サーバ装置３へ送信される。会議サーバ装置３の書込情報３１１Ａも、四角形のオブジェクトのペンの種類は「公開ペン」へ変更される。したがって、当該書込情報３１１Ａを受信するＢ端末装置１で、Ａ端末装置１で作成された画像が表示されるときに四角形の画像も表示される。
【０１２３】
このようにして、会議参加者は作成した画像の他の装置での公開／非公開を、画像の作成時のみならず作成した後も選択することができる。したがって、最初に非公開にしていたメモ書きを後から他の装置でも表示されるように変更したり、逆に公開していたメモ書きを自分のみが見えるように変更することが可能である。会議参加者の端末装置の使い勝手を更に向上させることができる。
【０１２４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１２５】
１  端末装置
１００  制御部
１０１  一時記憶部
１０２  記憶部
１０５  通信処理部
１Ｐ  会議端末用プログラム（コンピュータプログラム）
９Ｐ  会議端末用プログラム（コンピュータプログラム）
２  ネットワーク
３  会議サーバ装置
３０  制御部
３１  一時記憶部
３２  記憶部
３３  通信処理部
３６  共有ドキュメントデータ
【図１】
2011044877.tif 000003
【図２】
2011044877.tif 000004
【図３】
2011044877.tif 000005
【図４】
2011044877.tif 000006
【図５】
2011044877.tif 000007
【図６】
2011044877.tif 000008
【図７】
2011044877.tif 000009
【図８】
2011044877.tif 000010
【図９】
2011044877.tif 000011
【図１０】
2011044877.tif 000012
【図１１】
2011044877.tif 000013
【図１２】
2011044877.tif 000014
【図１３】
2011044877.tif 000015